(57)【特許請求の範囲】
【請求項１】
周壁により囲まれた建造物の上部に、一定量の空気を継続して吹き出す給気口を形成すると共に、前記建造物の下部に一定量の空気を継続して吸引する排気口を形成し、前記建造物の床に加工物搬送路を敷設し、該加工物搬送路に沿ってその両側に多数の間隙を有する床材を敷設し、該床材の下方に、前記建造物の外部に延びるコンベアーを設置したことを特徴とする環境浄化装置。
【請求項２】
前記給気口から吹き出す空気及び排気口から吸引される空気の流速を１ｍ／秒以下としたことを特徴とする請求項１に記載された環境浄化装置。
【請求項３】
前記コンベアーの終端を筐体で囲み、該筐体に吸引ダクトを接続したことを特徴とする請求項１又は２に記載された環境浄化装置。
【発明の詳細な説明】
【０００１】
【発明の属する技術分野】
本発明は、例えば、手持ち式の回転工具等を用いて仕上げ研磨や研削等の作業を行う際に、その作業環境を浄化する環境浄化装置に関する。
【０００２】
【従来の技術】
手持ち式の回転工具等を用いて金属、鉱物、樹脂部品等を研磨したり研削すると、浮遊粉塵や堆積粉塵が多量に発生する。このような粉塵は労働環境をきわめて悪化させ、特に鉱物性浮遊粉塵を吸い込むと人体の肺内に取り込まれて塵肺を引き起こすことが労働衛生工学の諸学会及び文献に報告されている。
これらの粉塵の内、浮遊粉塵は人手によって除去することが不可能であるため、空気清浄機等により取り除かれるが、空気清浄機を床に近い低い位置に設置すると上方の粉塵を除去しきれず、天井近くに設置すると、粉塵の流れが作業者の呼吸域を通過して粉塵吸引を防ぐことができない。
【０００３】
また、ブースの天井から空気を吹き出すと共に、側面からブース内の空気を排出して、効率的な掃気を可能とした塗装ブースが特開平３−１６６７１号公報に開示されている。
この塗装ブースによれば、空気の流れを設定することによって、塗装の際の噴霧等の浮遊する粉塵を、作業者にかからないように速やかにブース該に排出することができる。
【０００４】
しかし、比較的重量が重い粉塵は、床の上に落下して堆積してしまい、空気と共に吸引することができない。そこで、このような堆積粉塵は、作業者が箒及び塵取りを用いて除去したり、掃除機を使って吸引していた。
ところが、前者では箒の動きにより、後者では掃除機の排気により、堆積していた塵が舞い上がって飛散し、この結果、作業者の呼吸域が再び粉塵に汚染されることになる。また、粉塵除去作業に非常に多くの手間と時間を割かなければならないため、作業効率の低下を引き起こす。
【０００５】
【発明が解決しようとする課題】
本発明は、浮遊粉塵を作業者の呼吸域から遠ざけると共に建造物の外に排出し、堆積粉塵も作業を妨げること無く自動的に排出することができ、良好な作業環境を守ることが可能な環境浄化装置を提供することを目的とする。
【０００６】
【課題を解決するための手段】
本発明の環境浄化装置は、周壁により囲まれた建造物の上部に、一定量の空気を継続して吹き出す給気口を形成すると共に、前記建造物の下部に一定量の空気を継続して吸引する排気口を形成する。また、前記建造物の床に加工物搬送路を敷設し、該加工物搬送路に沿ってその両側に多数の間隙を有する床材を敷設し、該床材の下方に、前記建造物の外部に延びるコンベアーを設置する。
給気口から吹き出す気流によって浮遊粉塵を作業者の呼吸域より下方に吹き落とし、降下した浮遊粉塵を含む空気を排気口から吸引して排出する。
堆積粉塵は床材の間隙を通してコンベアーの上に落下し、さらにコンベアーを介して建造物の外部に排出される。
【０００７】
給気口から供給される空気及び排気口から排出供給される空気の流速を１ｍ／秒以下とすることは、低速度で換気を行うため、作業者に疲労感を与えることがなく望ましい。
コンベアーの終端を筐体で囲み、該筐体に吸引ダクトを接続することは、コンベアーで運び出された堆積粉塵が吸引ダクトを通して自動的に所定場所に廃棄され、しかもその際に粉塵が飛散しないので望ましい。
【０００８】
【発明の実施の形態】
図１乃至図３は本発明の第１の実施形態を示す。
環境浄化装置１は、図１に示すように、天井２及び側壁３より成る周壁で囲まれた作業ブース４等の建造物を有する。作業ブース４の床の幅方向中央部には長手方向に沿って加工物搬送路５が敷設され、その両側に作業者が立って作業を行うようになっている。
【０００９】
天井３の幅方向中央部の下方には、網体等の通気性を有するパネルを組み立てて成る収納空間６が形成され、その両側に１対の給気ユニット７がそれぞれ長手方向に沿って収納されている。
給気ユニット７は、図２に示すように、給気パイプ１８を介して作業ブース４の外部に配設された給気ダクト８に接続される。そして、給気ダクト８から供給された清浄な空気が、給気ユニット７の下面に形成された給気口９及び収納空間６の底面を通して作業ブース４内に吹き出すようになっている。
【００１０】
また、給気ユニット７は、作業ブース４内で作業が行われている間は、空気を１ｍ／秒以下（望ましくは０．３〜０．５ｍ／秒）の一定の流速で継続して吹き出すように設定されている。
なお、収納空間６は必ずしも全面に通気性を持たせる必要は無く、その底面の給気口９と対応する位置に貫通孔を形成すれば良い。
【００１１】
作業ブース４の両側下部には、それぞれ長手方向に沿って排気ユニット１０が設置される。排気ユニット１０は、図２に示すように、排気パイプ１９を介して作業ブース４の外部に配設された排気ダクト１１に接続され、排気ユニット１０の内側面に形成された排気口１２を通して作業ブース４内の空気を吸引するようになっている。
排気口１２から排出される空気の流量は、給気口９から吹き出す空気の流量と同じに設定されている。従って、作業ブース４内の空気は、幅方向中央部の上部に設けられた給気口９から両側部下部に設けられた排気口１２に向けて流れており、しかも、作業ブース４内の圧力は常に一定に保たれている。
【００１２】
また、この結果、加工物搬送路５により搬送される加工物１６から発生する浮遊粉塵は、給気口９から吹き下ろす空気に押されて降下し、両側下部の排気口１２から吸引されて作業ブース４の外部に排出される。
このため、加工物搬送路５の両側に立って作業する作業者の呼吸域に浮遊粉塵が達することはない。
【００１３】
加工物搬送路５の両側の床には、多数の間隙を有する床材１３が作業ブースの床面から間隔をあけて敷設され、その下方にベルトコンベアー１４等のコンベアーがそれぞれ長手方向に沿って配設される。そして、ベルトコンベアー１４の終端は作業ブース４の外部に達している。
従って、加工物１６から発生する堆積粉塵は、床材１３の上に落下すると、その間隙を通過してベルトコンベアー１４の上面に堆積し、ベルトコンベアー１４の進行に伴って作業ブース４の外に搬送される。
【００１４】
図３に示すように、ベルトコンベアー１４の終端は筐体１５で囲まれ、ベルトコンベアー１４で運ばれた堆積粉塵は筐体１５内に落下するようになっている。また、筐体１５の底部には吸引ダクト１７が接続され、筐体１５内に排出された堆積粉塵が吸引ダクト１７を通して所定の場所に廃棄されるようになっている。
なお、２棟の作業ブース４が隣接して配置されているときは、それぞれの作業ブース４から堆積粉塵を搬出するベルトコンベアー１４の終端が、一個の筐体１５で囲まれている。
【００１５】
作業ブース４内の作業によって通常の粉塵のみが発生する場合は、図４に示すように、排気口１２から延びる排気パイプ１９が、工場２０の外に設置された集塵機２１を介して排気ファン２２に接続され、集塵機２１で排気処理された空気が排気ダクト１１に送られるよううになっている。
また、作業ブース４内に有毒ガスが発生する場合は、図５に示すように、排気ファン２２の下流に活性炭脱臭機を内蔵するガス処理装置２４を設置する。そして、排気口１２から吸引されてガス処理装置２４により処理された空気は大気に放出され、屋内の供給空気は、給気パイプ１８に接続されたエアフィルター２５によって有毒成分が除去され、さらに給気ファン２６を介して給気口９から作業ブース４内に供給される。
【００１６】
本発明の環境浄化装置１の構造は上記のものに限定されない。
例えば、給気ユニット７を作業者の直上に設置するのが困難な場合は、図６に示すように、給気ユニット７を作業者の背後の斜め上方に取り付け、排気ユニット１０を加工物１６側の下部に設ける。すると、加工物１６から発生する浮遊粉塵は全く作業者の側に流れることがなく、作業ブース４外に排出される。
【００１７】
また、図７に示すように、作業ブース４の天井２を気流遮断バッフルカーテンで構成した場合は、重量物を支持することができないので、給気ユニット７を作業ブース４の一側面に取り付け、排気ユニット１０を他側面下部に設けると良い。
さらに、温度調節した空気を給気口９から吹き出すと、作業ブース４内の環境を一層快適なものとすることができる。
【００１８】
【発明の効果】
請求項１に記載の環境浄化装置によれば、建造物内にその上部から下部に向かって流れる気流が発生するので、作業で生じた浮遊粉塵がこの気流により吹き下ろされると共に排気口から吸引されて、作業者の呼吸域まで舞い上がらずに建造物外に排出され、このため、作業者が浮遊粉塵の混じった空気を吸って健康を害する心配がない。
【００１９】
また、比較的重量の重い堆積粉塵は、床材の間隙を通してコンベアー上に落下し、コンベアーの運行に伴って自動的に建造物の外に搬出されるので、作業者が作業を中断して粉塵を除去する手間が省け、作業効率が向上する。
さらに、箒や掃除機を用いて堆積粉塵を除去する時のように粉塵が飛散する心配が無く、建造物内を衛生的に保つことが可能であると共に、作業環境の美化にもつながってイメージアップの一助となる。
【００２０】
請求項２に記載の環境浄化装置によれば、建造物内の空気が非常に低速で流れるので、作業者への負担が少なくて済み、疲労感を与える虞がない。
請求項３の記載によれば、コンベアーで建造物の外へ搬送された堆積粉塵が自動的に所定の場所に廃棄されると共に、コンベアーから落下した堆積粉塵が飛散することがない。
【図面の簡単な説明】
【図１】本発明の実施形態を示す環境浄化装置の斜視図
【図２】同上の断面図
【図３】ベルトコンベアーの終端部の斜視図
【図４】通常の粉塵のみが発生する環境浄化装置の要部断面図
【図５】有毒ガスが発生する環境浄化装置の要部断面図
【図６】本発明の他の実施形態を示す環境浄化装置の斜視図
【図７】本発明のさらに他の実施形態を示す環境浄化装置の斜視図
【符号の説明】
１  環境浄化装置
２  天井
３  側壁
４  作業ブース（建造物）
５  加工物搬送路
６  収納空間
７  給気ユニット
８  給気ダクト
９  給気口
１０  排気ユニット
１１  排気ダクト
１２  排気口
１３  床材
１４  ベルトコンベアー
１５  筐体
１６  加工物
１７  吸引ダクト
１８  給パイプ
１９  排気パイプ
２０  工場
２１  集塵機
２２  排気ファン
２４  ガス処理装置
２５  エアフィルター
２６  給気ファン
【図１】
0003750829.tif 000002
【図２】
0003750829.tif 000003
【図３】
0003750829.tif 000004
【図４】
0003750829.tif 000005
【図５】
0003750829.tif 000006
【図６】
0003750829.tif 000007
【図７】
0003750829.tif 000008